【事件の表示】
　特願２００６−１４７０１３「釣り糸用スプール」拒絶査定不服審判事件〔平成１９年１２月　６日出願公開、特開２００７−３１２７１０〕について、次のとおり審決する。
【結　論】
　本件審判の請求は、成り立たない。
【理　由】
１　手続の経緯
　本願は，平成１８年５月２６日の出願であって，平成２２年６月１８日付けで拒絶査定がなされ，これに対し，同年９月２２日に拒絶査定に対する審判請求がなされ，同時に手続補正がなされたものである。
　その後，平成２３年２月２３日付けで，審判請求人に前置報告書の内容を示し意見を求めるための審尋を行ったところ，同年４月２８日付けで回答書が提出された。
　
２　補正の内容，本願発明
　平成２２年９月２２日付け手続補正は，請求項１を次のように補正するとともに請求項４及び請求項５を削除するものである。
「【請求項１】
　収縮性を有する釣り糸が巻き取られるための円筒部、該円筒部の両端に配置されたフランジ部、該円筒部の中心に設けられた軸孔部および該円筒部と該軸孔部とを結ぶ複数本のリブを含んでなり、前記釣り糸を前記円筒部に所定の張力で巻き取る釣り糸用スプールであって、円筒部、フランジ部、軸孔部およびリブは、それぞれ熱可塑性樹脂２０〜５０重量％と紙および／またはパルプ５０〜８０重量％とを含む混合物から成型されてなり、該リブの本数が３〜１０本であることにより該円筒部の外周からその中心部に向かって圧力を掛けた時のピーク応力が１〜３０ｋＮの範囲にあることを特徴とする釣り糸用スプール。」
　上記請求項１に係る補正は，スプールに巻き取る釣り糸を「収縮性を有する」ものとし，巻き取り方を「所定の張力で巻き取る」とするものであるが，スプール自体を特定する事項は何ら変わるわけではないから，スプールの用途を明確にしたものであって，明りょうでない記載の釈明を目的とするものと認められる。
　したがって，上記手続補正は，明りょうでない記載の釈明及び請求項の削除を目的とするものであって，適法になされたものである。
　
　よって，本願の請求項１ないし３に係る発明は，上記平成２２年９月２２日付けの手続補正により補正された特許請求の範囲の請求項１〜３に記載された事項により特定されるとおりのものであり，そのうち請求項１に係る発明は，上記のとおりのものである。
　以下，請求項１に係る発明を「本願発明」という。 
　　
３　刊行物及びその記載内容
（１）原査定の拒絶の理由に引用され，本願出願前に頒布された刊行物である，特開２０００−２６２１９８号公報（以下，「刊行物１」という。）には，図面と共に，以下の事項が記載されている。 
（１ａ）「【０００１】
【発明の属する技術分野】本発明は釣り糸が包装材で包装された釣り糸包装体に関する。」
（１ｂ）「【０００８】
【発明の実施の形態】以下、本発明に係る釣り糸包装体の一実施形態について、図１及び図２を参酌しつつ、スプール１に所定長さ巻回された釣り糸２がスプール１ごと包装フィルム３（包装材）で密封包装された釣り糸包装体について説明する。
【０００９】まず、包装されているスプール１について説明すると、図１は、スプール１の中心軸方向裏面側（包装体の裏面側）から見た斜視図であり、該スプール１は、合成樹脂から透明又は半透明に成型により形成されたもので、全体として薄型円柱状に形成され、その中心軸方向両端には半径方向に突出したフランジ部４が形成され、図２の如く、両フランジ部４，４間の外周部５に前記釣り糸２が巻回されてなる。また、スプール１の裏面側には凹部６、詳細には、略扇状の凹部６が中央の貫通孔７を中心としてその回りに六ヶ所均等に形成されてなり、各々の凹部６を区画する半径方向の区画壁８はリブとして機能している。そして、各々の凹部６にはシリカゲルや塩化カルシウム等の乾燥剤９が入れられており、該乾燥剤９も略扇状に形成されて凹部６に嵌入されてなる。」　
（１ｃ）「【００１６】また、スプール１自体を紫外線を遮断可能な合成樹脂（ポリカーボネート等）から成型により形成することも可能であり、…」　
　上記記載及び図面の記載からみて，刊行物１には、次の発明が記載されていると認められる。
「釣り糸２が巻き取られるための外周部５，該外周部５の両端に配置されたフランジ部４，該外周部５の中心に設けられた貫通孔７および該外周部５と該貫通孔７とを結ぶとともにリブとして機能する区画壁８を含んでなり，前記釣り糸２を前記外周部５に巻き取るスプール１であって，外周部５，フランジ部４，貫通孔７および区画壁８は，ポリカーボネートから成型されてなり，該区画壁８が６個であるスプール１。」（以下，「刊行物１記載の発明」という。）
　
（２）原査定の拒絶の理由において引用され，本願出願前に頒布された刊行物である，特開平１１−３５６８９号公報（以下，「刊行物２」という。）には，以下の事項が記載されている(下線は当審付与）。
（２ａ）「【０００１】
【発明の属する技術分野】本発明は、樹脂組成物の製造方法及び樹脂成形物の製造方法に関し、更に詳しくは
強度に優れ、軽量であるとともに、焼却時の燃焼熱が低カロリーで焼却炉を損傷しない樹樹脂組成物
（２ｂ）「【０００８】
【発明の実施の形態】次に好ましい実施の形態を挙げて本発明を更に詳しく説明する。
本発明で使用する合成樹脂とは、低密度ポリエチレン、高密度ポリエチレン、ポリ塩化ビニル、ポリスチレン、ポリプロピレン、ポリエチレンテレフタレート等の汎用樹脂であり
【０００９】
本発明で使用する繊維は、古紙等の紙類、古着、紡績工業や織物工業等で発生する織布又は不織布の屑、木粉、おがくず等の木質、藁等の植物繊維等が使用でき、
【００１０】このような細断片又は粗粉砕物であれば、フワフワした綿埃状にならす、過度に嵩高くならないので同様な粒径の合成樹脂粉末やペレットと良く混合することができる。混合は通常粉体混合において広く使用されているヘンシェルミキサーやタンブラーミキサーがそのまま使用可能である。
混合する比率は特に限定されないが、本発明の目的を有効に達成するためには、合成樹脂と繊維の比率が、重量比（合成樹脂／繊維）で９５／５〜２０／８０、好ましくは９０／１０〜３０／７０の範囲である
（２ｃ）「【００１４】以上のようにして得られた微粉砕物は、樹脂によって包囲されている繊維細断片又は粗粉砕物も同時に粉砕されるので、通常の古紙の粉砕におけるような微粉砕物の嵩高性に起因する問題が発生しない。この微粉砕物は、そのままの状態でフイルム等の成形材料に使用することができるとともに、取扱い性の点で必要であれば更に押出機や他の手段によってペレット化してもよい。例えば、上記の粉末樹脂組成物を用いてフイルムを形成する場合には、上記の樹脂組成物中の繊維の含有量が５０重量％を超える場合には、繊維含有量が５〜５０重量％になるようにナチュラルレジンにより希釈して、インフレーション法やＴダイ法等の従来技術を用いて任意の厚み、例えば、１０〜１００μｍ程度のフイルムに成膜することができる。・・・」
【００１５】・・・又、
本発明の樹脂組成物はフイルムの成形に限定されず、各種の射出成形物、押出成形物、その他の成形方法における成形用原料として使用することができる。
　
４　対比
　本願発明と上記刊行物１記載の発明とを対比すると，刊行物１記載の発明の「外周部５」が本願発明の「円筒部」に相当し，同様に，「貫通孔７」が「軸孔部」に相当する。
　また，刊行物１記載の発明の「区画壁８」はリブとして機能するものであるから，本願発明の「リブ」に相当する。
　さらに，刊行物１記載の発明の「ポリカーボネート」は「熱可塑性樹脂」の一種であり，刊行物１記載の発明において，「ポリカーボネートから成型されてなる」ことと，本願発明において「熱可塑性樹脂２０〜５０重量％と紙および／またはパルプ５０〜８０重量％とを含む混合物から成型されてなる」こととは，「少なくとも熱可塑性樹脂を含む材料で成型されてなる」点で共通する。
　
　したがって，両者は，
「釣り糸が巻き取られるための円筒部，該円筒部の両端に配置されたフランジ部，該円筒部の中心に設けられた軸孔部および該円筒部と該軸孔部とを結ぶ複数本のリブを含んでなり，前記釣り糸を前記円筒部に巻き取る釣り糸用スプールであって，円筒部，フランジ部，軸孔部およびリブは，それぞれ，少なくとも熱可塑性樹脂を含む材料で成型されてなり，該リブの本数が６本である釣り糸用スプール。」である点で一致し，次の点で相違する。
＜相違点１＞
　本願発明は，収縮性を有する釣り糸を円筒部に所定の張力で巻き取るのに対し，刊行物１記載の発明は釣り糸の種類や巻き取り方が限定されていない点。
＜相違点２＞
　少なくとも熱可塑性樹脂を含む材料が，本願発明では「熱可塑性樹脂２０〜５０重量％と紙および／またはパルプ５０〜８０重量％とを含む混合物」であるのに対し，刊行物１記載の発明では，熱可塑性樹脂（ポリカーボネート）のみである点。
＜相違点３＞
　本願発明は，「円筒部の外周からその中心部に向かって圧力を掛けた時のピーク応力が１〜３０ｋＮの範囲にある」のに対し，刊行物１記載の発明は，円筒部の外周からその中心部に向かって圧力を掛けた時のピーク応力が規定されていない点。
　
５　判断
（１）相違点１について
　本願発明は，釣り糸用スプールに関するものであって，どのような釣り糸をどのように巻き取るかはスプールの構成を限定するものではなく，相違点１は実質的に相違点ではない。
　なお，収縮性を有する釣り糸は，例えば特開平１−２０１５１６号公報及び特開２００３−１８９７７２号公報に示されるように周知であり，釣り糸をスプールに巻き取る際に，ゆるみが生じないように所定の張力で巻き取ることは，特開２００１−２９９１７３号公報の段落【０００３】（本願明細書に記載の特許文献１）及び特開２００２−１７１８８７号公報の段落【０００３】（同特許文献２）に記載されているように普通に行われていることである。
　
（２）相違点２について
　本願発明が，熱可塑性樹脂の重量％と紙および／またはパルプの重量％を規定したのは，本願明細書の段落【００２１】の記載によれば，紙容器リサイクル法の素材分類により紙として認められ，一般家庭から廃棄される紙ゴミと同じように焼却処分することができるようにするとともに，射出成型などによって各物品を得るに際し成型がし易く，釣り糸用スプール用の成型物品として十分な強度が得られれるようにするためと認められる。
　一方，従来合成樹脂で成型されていた物品を，一般家庭から廃棄される紙ゴミと同じように焼却処分を可能とするとともに，強度に優れた製品を成型するために，合成樹脂と紙等の繊維５０〜８０重量％とを含む混合物として成型することは，刊行物２に記載されている他，特開２００２−９６９７５号公報に記載されているように周知の技術である。
　すなわち，刊行物２には，「強度に優れ，軽量であるとともに，焼却時の燃焼熱が低カロリーで焼却炉を損傷しない」製品を成型するために（（２ａ）参照），「重量比（合成樹脂／繊維（注：紙））で９５／５〜２０／８０」の混合物を（（２ｂ）参照），「射出成形物」や「押出成形物」として使用すること（（２ｃ）参照）が記載されている。
　このように，優れた加工性と十分な強度を持ち，紙ゴミと同じように焼却処分することができるようにすることは，熱可塑性樹脂物品においては，共通の課題である。
　そうすると，刊行物１記載の発明において，優れた加工性と十分な強度を持ち，紙ゴミと同じように焼却処分することができるようにするために，上記周知技術を適用して，円筒部，フランジ部，軸孔部およびリブを，それぞれ熱可塑性樹脂２０〜５０重量％と，紙あるいは紙と同様に焼却可能な繊維であることが知られているパルプ５０〜８０重量％とを含む混合物から成型することは，当業者が容易になし得ることである。
　
（３）相違点３について
　本願発明において，円筒部の外周からその中心部に向かって圧力を掛けた時のピーク応力を１〜３０ｋＮの範囲としたのは，本願明細書の段落【００２３】の記載によれば，ピーク応力が１ｋＮを下回るとスプールが変形しやすくなり，ピーク応力が３０ｋＮを上回ると製造コストや輸送コストも高くなるためと認められ，その数値は，糸の太さや巻き付け時の張力，スプールの大きさ等を勘案して決めるものと認められるから，特に上記数値範囲に臨界的意義があるものとは認められない。
　そして，刊行物１記載の発明においても，スプールに必要な強度を付与すること及びコストを考慮して強度の範囲を決めることは当然考慮すべきことである。
　そうすると，刊行物１記載の発明において，釣り糸に張力をかけて糸を巻き付ける際に変形しない強度とコストを考慮して，樹脂の種類を選択したり，円筒部，フランジ部およびリブの厚さを設計したりすることにより，円筒部の外周からその中心部に向かって圧力を掛けた時のピーク応力を１〜３０ｋＮの範囲とすることは，当業者が適宜設計しうることである。
　なお，刊行物１記載の発明ではリブの数は６つであるが，３〜１０本のものも普通に用いられており，リブの本数を３〜１０本の範囲で適宜決め，それに応じて，ピーク応力を１〜３０ｋＮの範囲となるように，樹脂の種類やスプールの円筒部，フランジ部およびリブの厚さを設計することも，当業者であれば適宜なし得ることである。
　　
（４）作用効果について
　一般家庭から廃棄される紙ゴミと同じように焼却処分することができるようにするとともにに，射出成型などによって各物品を得るに際し成型がし易いとの本願発明の作用効果は，刊行物２に示す周知技術から当業者が容易に予測できることであり，また，熱可塑性樹脂に紙および／またはパルプを混合した場合にも，その混合割合や樹脂の種類の選択，円筒部，フランジ部およびリブの厚さを設計することにより適度な強度が得られることは技術常識であり，本願請求項１に係る発明の効果は格別なものとはいえない。
　
　したがって，本願発明は，刊行物１記載の発明及び周知技術に基いて当業者が容易に発明をすることができたものである。
　
６　むすび
　以上のとおり，本願発明は，刊行物１記載の発明及び周知技術に基いて当業者が容易に発明をすることができたものであるから，特許法第２９条２項の規定により特許を受けることができないものであり，本願の他の請求項に係る発明について検討するまでもなく，本願は拒絶をすべきものである。
　よって，結論のとおり審決する。